(57)【要約】【課題】ユーザーが、何らかの理由であえて携帯電話機の着信に応答しなかった場合に、繰り返しの呼び出しを抑制する。【解決手段】携帯電話機に着信があった際、タッチセンサにより人体への接触有無を検出し、ユーザーが携帯している状態であるにも関わらず、あえて着信等に応答しなかった場合に、次回からの着信の呼び出し音・振動によるお知らせを停止する。【選択図】図３
2008245125.tif 000002
【特許請求の範囲】
【請求項１】
通常モードと通知動作停止モードとを有し、
人体が触れていることを示す検出信号を出力するタッチセンサと、
着信をユーザに通知する受信通知装置と、
前記通知を行うことを禁止する制御部と
を具備し、
前記制御部は、
前記受信通知装置が前記通知を行っているときに、前記タッチセンサからの前記検出信号に応答して前記通常モードから前記通知動作停止モードに移行し、前記通知動作停止モードにおいて、新たな着信があったときに、前記通知を行うことを禁止する
携帯電話機。
【請求項２】
請求項１に記載の携帯電話機において、
前記制御部は、
前記通知動作停止モードにおいて、
前記通知に対する応答が行われることなく前記受信通知装置による前記通知が終了したことに対応して、前記通知動作停止モードを継続する
携帯電話機。
【請求項３】
請求項２に記載の携帯電話機において、
前記受信通知装置は、前記通常モードにおいて、
電話の着信を知らせる電波、または、電子メールの受信を知らせる電波の少なくとも一方を受信したときに前記ユーザに前記通知を行う
携帯電話機。
【請求項４】
請求項３に記載の携帯電話機において、
前記受信通知装置が、
呼び出し音を鳴らすスピーカ、振動を発生させるバイブレータおよび光を発光するライトから選択される少なくとも一つである
携帯電話機。
【請求項５】
（ａ）人体が触れていることを示す検出信号を出力するステップと、
（ｂ）着信をユーザに通知するステップと、
（ｃ）前記通知を行うことを禁止するステップと
を具備する携帯電話機の動作方法であって、
前記（ｃ）ステップは、
前記通知を行っているときに、前記検出信号に応答して通常モードから通知動作停止モードに移行するステップと、
前記通知動作停止モードにおいて、新たな着信があったときに、前記通知を行うことを禁止するステップ
を含む
携帯電話機の動作方法。
【請求項６】
請求項５に記載の携帯電話機の動作方法において、
前記（ｃ）ステップは、
前記通知動作停止モードにおいて、
前記通知に対する応答が行われることなく前記受信通知装置による前記通知が終了したことに対応して、前記通知動作停止モードを継続するステップ
を含む
携帯電話機の動作方法。
【請求項７】
請求項６に記載の携帯電話機において、
前記（ｂ）ステップは、
前記通常モードにおいて、
電話の着信を知らせる電波、または、電子メールの受信を知らせる電波の少なくとも一方を受信したときに前記ユーザに前記通知を行うステップを含む
携帯電話機の動作方法。
【請求項８】
請求項７に記載の携帯電話機において、
前記（ｂ）ステップは、
呼び出し音を鳴らすスピーカ、振動を発生させるバイブレータおよび光を発光するライトから選択される少なくとも一つを用いて着信をユーザに通知するステップを含む
携帯電話機の動作方法。
【請求項９】
通常モードと通知動作停止モードとを有し、人体が触れていることを示す検出信号を出力するタッチセンサと、着信をユーザに通知する受信通知装置と、前記通知を行うことを禁止する制御部とを具備する携帯端末で動作する携帯端末用プログラムであって、
（ａ）前記受信通知装置が前記通知を行っているときに、前記タッチセンサからの前記検出信号に応答して前記通常モードから前記通知動作停止モードに移行するステップと、
（ｂ）前記通知動作停止モードにおいて、新たな着信があったときに、前記通知を行うことを禁止するステップと
を具備する方法で携帯端末を動作させるための手順を示す
携帯端末用プログラム。
【請求項１０】
請求項９に記載の携帯端末用プログラムにおいて、
（ｃ）前記通知動作停止モードにおいて、前記通知に対する応答が行われることなく前記受信通知装置による前記通知が終了したことに対応して、前記通知動作停止モードを継続するステップ
を具備する方法で携帯端末を動作させるための手順を示す
携帯端末用プログラム。
【請求項１１】
請求項１０に記載の携帯端末用プログラムにおいて、
（ｄ）前記受信通知装置が、前記通常モードにおいて、
電話の着信を知らせる電波、または、電子メールの受信を知らせる電波の少なくとも一方を受信したときに前記ユーザに前記通知を行うステップ
を具備する方法で携帯端末を動作させるための手順を示す
携帯端末用プログラム。
【発明の詳細な説明】
【技術分野】
【０００１】
本発明は、携帯電話機に関する。
【背景技術】
【０００２】
満員電車や仕事中の打ち合わせ中に、携帯電話への音声通話の呼び出し音や電子メールの着信（受信）があった場合、その呼び出し音や電子メールの着信に応答することが出来ない場合が多い。着信を知らせる音が周囲の人にかける迷惑を抑制する技術が知られている（例えば、特許文献１〜３参照）。特許文献１（特開平１１−３３１３２７号公報）には、着信報知音によって周囲の人に迷惑をかけることがなく、且つ暗い場所での操作性を向上させた携帯端末に関する技術が開示されている。また、特許文献２（特開２０００−０６９１２９号公報）には、携帯電話機を手持ちのときに着信したときは振動で着信を知らせ、触るだけで着信音を停止させ、現在置かれている状態に応じて振動を抑制する携帯電話機に関する技術が開示されている。また、特許文献３（特開２００６−０８０９４６号公報）には、携帯電話装置の所持状況を正確に判断でき、上記所持状況によって、自動的に着信通知手段を選択できる携帯電話装置に関する技術が開示されている。
【０００３】
【特許文献１】特開平１１−３３１３２７号公報
【特許文献２】特開２０００−０６９１２９号公報
【特許文献３】特開２００６−０８０９４６号公報
【発明の開示】
【発明が解決しようとする課題】
【０００４】
呼び出し音や電子メールの着信に応答することが出来ない場合に、満員電車の乗客や打ち合わせの相手に対して不快感を与えないためにも、速やかに携帯電話の電源をＯＦＦにしたり、設定をマナーモードにしたりすることが好ましい。しかしながら、受信者側がそのような対処を速やかに出来ないとき、発信者（電子メールの送信者）は受信者側の状況を把握していないため、音声通話の発信を繰り返し行ってしまうことがある。このような連続的な呼出は、受信者自身や、あるいはその周囲の人に迷惑をかけることがあった。
【０００５】
本発明が解決しようとする課題は、ユーザーが携帯電話機を携帯している状態での着信に、何らかの理由であえて着信に応答しなかった場合に、繰り返しの呼び出しを抑制し、周囲の人への迷惑を防止する技術を提供することにある。
【課題を解決するための手段】
【０００６】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００７】
上記課題を解決するために、通常モードと通知動作停止モードとを有する携帯電話機（１）を構成する。ここにおいて、その携帯電話機（１）は、人体が触れていることを示す検出信号を出力するタッチセンサ（１０）と、着信をユーザに通知する受信通知装置（４，５，６）と、前記通知を行うことを禁止する制御部（７）とを具備することが好ましい。そして、前記制御部（７）は、前記受信通知装置（４，５，６）が前記通知を行っているときに、前記タッチセンサ（１０）からの前記検出信号に応答して前記通常モードから前記通知動作停止モードに移行し、前記通知動作停止モードにおいて、新たな着信があったときに、前記通知を行うことを禁止する
【０００８】
その携帯電話機（１）において、前記制御部（７）は、前記通知動作停止モードにおいて、前記通知に対する応答が行われることなく前記受信通知装置（４，５，６）による前記通知が終了したことに対応して、前記通知動作停止モードを継続する機能を備えていることが好ましい。
【０００９】
その携帯電話機（１）において、前記受信通知装置（４，５，６）は、前記通常モードにおいて、電話の着信を知らせる電波、または、電子メールの受信を知らせる電波の少なくとも一方を受信したときに前記ユーザに前記通知を行うことが好ましい。
【００１０】
その携帯電話機（１）において、前記受信通知装置（４，５，６）が、呼び出し音を鳴らすスピーカ（４）、振動を発生させるバイブレータ（６）および光を発光するライト（５）から選択される少なくとも一つである携帯電話機（１）を構成することが好ましい。
【００１１】
上記課題を解決するために、［ａ］人体が触れていることを示す検出信号を出力するステップと、［ｂ］着信をユーザに通知するステップと、［ｃ］前記通知を行うことを禁止するステップとを具備する動作方法で携帯電話機（１）を動作させる。ここにおいて、
前記［ｃ］ステップは、
前記通知を行っているときに、前記検出信号に応答して通常モードから通知動作停止モードに移行するステップと、前記通知動作停止モードにおいて、新たな着信があったときに、前記通知を行うことを禁止するステップを含む携帯電話機（１）の動作方法であることが好ましい。
【００１２】
その携帯電話機（１）の動作方法において、前記［ｃ］ステップは、
前記通知動作停止モードにおいて、前記通知に対する応答が行われることなく前記受信通知装置（４，５，６）による前記通知が終了したことに対応して、前記通知動作停止モードを継続するステップを含む携帯電話機（１）の動作方法であっても良い。
【００１３】
その携帯電話機（１）において、前記［ｂ］ステップは、
前記通常モードにおいて、電話の着信を知らせる電波、または、電子メールの受信を知らせる電波の少なくとも一方を受信したときに前記ユーザに前記通知を行うステップを含む携帯電話機（１）の動作方法であることが好ましい。
【００１４】
その携帯電話機（１）において、前記［ｂ］ステップは、
呼び出し音を鳴らすスピーカ（４）、振動を発生させるバイブレータ（６）および光を発光するライト（５）から選択される少なくとも一つを用いて着信をユーザに通知するステップを含む携帯電話機（１）の動作方法であっても良い。
【００１５】
また、上記課題を解決するために、通常モードと通知動作停止モードとを有し、人体が触れていることを示す検出信号を出力するタッチセンサ（１０）と、着信をユーザに通知する受信通知装置（４，５，６）と、前記通知を行うことを禁止する制御部（７）とを具備する携帯端末（１）を、以下の携帯端末用プログラムで動作させる。ここでその携帯端末用プログラムは、
［ａ］前記受信通知装置（４，５，６）が前記通知を行っているときに、前記タッチセンサ（１０）からの前記検出信号に応答して前記通常モードから前記通知動作停止モードに移行するステップと、
［ｂ］前記通知動作停止モードにおいて、新たな着信があったときに、前記通知を行うことを禁止するステップとを具備する方法で携帯端末（１）を動作させるための手順を示す携帯端末用プログラムであることが好ましい。
【００１６】
その携帯端末用プログラムにおいて、
［ｃ］前記通知動作停止モードにおいて、前記通知に対する応答が行われることなく前記受信通知装置（４，５，６）による前記通知が終了したことに対応して、前記通知動作停止モードを継続するステップを具備する方法で携帯端末（１）を動作させるための手順を示す携帯端末用プログラムであっても良い。
【００１７】
その携帯端末用プログラムにおいて、
［ｄ］前記受信通知装置（４，５，６）が、前記通常モードにおいて、電話の着信を知らせる電波、または、電子メールの受信を知らせる電波の少なくとも一方を受信したときに前記ユーザに前記通知を行うステップを具備する方法で携帯端末（１）を動作させるための手順を示す携帯端末用プログラムであっても良い。
【発明の効果】
【００１８】
本発明によれば、ユーザーが携帯電話機を携帯している状態での着信に、何らかの理由であえて着信に応答しなかった場合に、以降行われる着信時に着信音・バイブレータによるお知らせを停止することが可能となり着信者への煩わしさ、周囲の人への迷惑を防止することが可能となる。
【発明を実施するための最良の形態】
【００１９】
以下に、図面を参照して本発明を実施するための形態について説明を行う。図１は、本実施形態の携帯電話機１の外観を例示する図である。以下では、携帯電話機１が、ヒンジによって折りたたむことができる携帯端末である場合を例に、本実施形態の説明を行っていく。
【００２０】
図１の（ａ）は、携帯電話機１を開いたときの正面から見た外観を例示している。図１の（ｂ）は、携帯電話機１を開いたときの背面から見た外観を例示している。図１の（ｃ）は、携帯電話機１を閉じたときの表示部２側から見た外観を例示している。図１の（ｄ）は、携帯電話機１を閉じたときの操作部３側から見た外観を例示している。
【００２１】
図１に示されているように、本実施形態の携帯電話機１は、表示部２と操作部３とを含んで構成されている。また、本実施形態の携帯電話機１の表示部２には、スピーカ部４と、ライト部５とが備えられている。表示部２は、液晶ディスプレイに代表される表示装置を備えている。操作部３は、テンキーに代表される情報入力装置を備えている。スピーカ部４は、携帯電話使用者（以下、ユーザと称する）に、着信音を鳴動する事で電話やメールの受信を通知する。また、スピーカ部４は、アラーム音等を鳴らす機能を備えている。ライト部５は、着信やアラームに応答して、光を発する事が可能である。
【００２２】
また、表示部２は、表示側第１側面２１と、表示側第２側面２２と、表示側第３側面２３と、表示側第４側面２４とを含んで構成されている。表示側第１側面２１から表示側第４側面２４の表面には、人体による接触の有無を検出する事が可能であるタッチセンサ部１０が構成されている。操作部３は、操作側第１側面３１と、操作側第２側面３２と、操作側第３側面３３と、操作側第４側面３４とを含んで構成されている。操作側第１側面３１から操作側第４側面３４の表面には、表示部２と同様に、人体による接触の有無を検出する事が可能であるタッチセンサ部１０が構成されている。タッチセンサ部１０は、例えば、人体に流れる微弱な電流を感知して、人体による接触の有無を検出する。タッチセンサ部１０は、携帯電話機１の筐体部の表面（表示側第１側面２１〜表示側第４側面２４、操作側第１側面３１〜操作側第４側面３４）の少なくとも一箇所に配置されていることが好ましい。さらには、ユーザーがポケット等に入れ持ち歩いている状態で常に接触できるよう両面の筐体部に配置されていることが望ましい。
【００２３】
図２は、本実施形態の携帯電話機１の構成を例示するブロック図である。図２を参照すると、携帯電話機１は、上述のスピーカ部４、ライト部５およびタッチセンサ部１０に、さらに、バイブレータ部６と、制御部７と、受信部８と、メモリ９とを含んで構成されている。制御部７は、携帯電話機１を動作させる為の各種制御を行っている。バイブレータ部６は、携帯電話機１に内蔵され、ユーザーに音声着信や電子メール等の受信を振動により知らせることが可能である。受信部８は、音声電話の通話が要求されていることを知らせる電波や、電子メールの受信を知らせる電波などを受信する。メモリ９は、制御部７が実行するコンピュータプログラムで処理されるデータを記憶する記憶装置である。メモリ９は、携帯電話機１が有する複数の動作モード（例えば、マナーモード）が切り換えられたときに、現在の動作モードを記憶する機能を備えている。
【００２４】
本実施形態の携帯電話機１において、着信時のお知らせ方法は、ユーザーによる設定に応じて変更が可能であることが好ましい。例えば、スピーカ部４からの呼び出し音とバイブレータ部６による振動を同時に行う設定や、さらにライト部５による視覚的な着信通知を行う設定などを可変的に行うことが可能である。また、携帯電話機１は、呼出動作の開始から一定時間が経過した後、留守番電話などに切り替わるような構成を備えていても良い。
【００２５】
以下に、本実施形態の携帯電話機１の動作について説明を行う。図３は、本実施形態の動作を例示するフローチャートである。ここで説明する本実施形態の動作は、携帯電話機１の電源が投入され、携帯電話機１が通常の動作モード（以下、通常動作モードと呼ぶ）で起動すると開始する。なお、以下では、携帯電話機１に対して音声通話の要求があった場合に対応して、本実施形態の動作の説明を行う。以下の動作は、携帯電話機１が制御部７に保持されている通知動作停止プログラム１１に示される手順で動作することによって実行されることが好ましい。
【００２６】
ステップＳ１０１において、携帯電話機１の受信部８は、音声着信を知らせる電磁波を受信する。受信部８は、その受信動作に応答して、制御部７に音声着信が要求されていることを通知する。ステップＳ１０２において、制御部７は、受信部８からの通知に応答して、あらかじめユーザーにより指定された設定の着信音（バイブレータ）で鳴動（駆動）するように、スピーカ部４に指示を出す。スピーカ部４は、その指示に応答して、呼び出し音（着メロなど）を鳴らす。
【００２７】
ステップＳ１０３において、携帯電話機１の制御部７は、筐体の表面に構成されたタッチセンサ部１０から、人体の接触有無を示す検出信号を受け取ったか否かの判断を行う。その判断の結果、その検出信号を受け取っていない場合、人体の接触がないと判断して、処理はステップＳ１０４に進む。その判断の結果、呼出動作を行っているときにその検出信号を受け取った制御部７は、人体が接触していると判断して処理はステップＳ１０５に進む。
【００２８】
ステップＳ１０４において、携帯電話機１は、通常の着信動作としてユーザーの応答を待つ。例えば、一定時間の呼び出しを行った後に留守番電話機能を作動させるように設定されていた場合、その設定に従った動作を実行する。
【００２９】
ステップＳ１０５において、制御部７は、人体の接触がある状態でユーザーによる音声着信への応答が行われたか否かの判断を行う。その判断の結果、呼び出し音に対する応答があった場合には、処理はステップＳ１０６に進む。その判断の結果、人体の接触がある状態で呼び出し音に対する応答が行われずに呼出が終了した場合や、一定時間が経過した場合には、処理はステップＳ１０７に進む。
【００３０】
ステップＳ１０６において、ユーザーによる音声着信への応答に対応して、携帯電話機１は、通常の通話動作を行う。その通話が終了した後、携帯電話機１は、通常動作モードでの着信待機の状態になる。
【００３１】
ステップＳ１０７において、タッチセンサ部１０に人体の接触がある状態で音声着信への応答が無い場合、制御部７は、通知動作停止プログラム１１に示される手順に対応して、発信者からの音声着信終了後に通知動作停止モードに移行し、着信音（バイブレータ）の設定をオフにする。また、携帯電話機１は、ここで着信音等の設定をＯＦＦする構成以外に、携帯電話機１の電源をＯＦＦすることも設定により可能となる構成を備えていても良い。
【００３２】
上述のように、本実施形態の携帯電話機１によれば、ユーザーが携帯電話機を手に持っている（例えば、ポケット等に入れつつ手で触れている）状態で、その携帯電話機に音声着信（電子メール受信）が行われ、ユーザーが着信のあったことを認識しているにも関わらず、あえて着信に応答しない、あるいは何らかの理由で着信に応答できない場合に、自動的に着信音・バイブレータによる振動を停止することが出来る。これによって、繰り返し行われる着信よる煩わしさや周囲への迷惑を防止することが可能となる。
【００３３】
また本実施形態では、電子メール等の受信時においても同様の動作で通知動作停止モードに移行することが可能である。例えば、携帯電話機１に人体の接触がある状態で電子メールを受信した場合、受信した電子メールの内容を一定時間内に確認する等の操作を行わない場合、上記実施例同様に、携帯電話機１の着信音（バイブレータ）の設定をＯＦＦにすることが可能である。
【００３４】
また本実施形態において、携帯電話機１は、現在の動作モード（通常動作モードか通知動作停止モードか）を表示部２の表示画面やサブディスプレイ（図示されず）に表示する構成を備えていても良い。この場合において、通知動作停止モードの携帯電話機１は、操作部３から入力される情報に応答して通常動作モードに戻るか通知動作停止モードを継続するかを選択できる構成を備えていることが好ましい。また、例えば、折りたたまれている通知動作停止モードの携帯電話機１が、通常動作モードに戻る場合、携帯電話機１を開くことで自動的に通常動作モードに戻るような構成であっても良い。
【図面の簡単な説明】
【００３５】
【図１】図１は、本実施形態の携帯電話機１の外観を例示する図である。
【図２】図２は、本実施形態の携帯電話機１の構成を例示するブロック図である。
【図３】図３は、本実施形態の動作を例示するフローチャートである。
【符号の説明】
【００３６】
１…携帯電話機
２…表示部
３…操作部
４…スピーカ部
５…ライト部
６…バイブレータ部
７…制御部
８…受信部
９…メモリ
１０…タッチセンサ部
１１…通知動作停止プログラム
２１…表示側第１側面
２２…表示側第２側面
２３…表示側第３側面
２４…表示側第４側面
３１…操作側第１側面
３２…操作側第２側面
３３…操作側第３側面
３４…操作側第４側面
【図１】
2008245125.tif 000003
【図２】
2008245125.tif 000004
【図３】
2008245125.tif 000005